(57)【要約】【課題】リアルタイムに視聴者の嗜好に合った放送番組の情報を視聴者に提供する。【解決手段】本発明は、視聴者毎に、番組を視聴する予め設定された視聴者毎の属性及び嗜好情報を読み込み、予め設定されたチャンネルで放送される番組の情報が蓄積された番組表及び該番組表に設定されている番組に対して所定時刻毎に付加された番組コンテンツメタデータを読み込み、視聴者属性／嗜好情報データベースと番組データベースから読み込んだ情報から、チャンネル毎に放送される番組の所定時刻毎の視聴者の嗜好度合を計算し、嗜好度合の情報を予め設定された番組案内端末に送信する。【選択図】　　　図１
2004015529.tif 000002
【特許請求の範囲】
【請求項１】
番組情報提供装置と番組案内端末がネットワークを介して接続されているシステムにおける、視聴者の嗜好にあった放送番組の情報を提供する番組情報提供方法において、
前記視聴者毎に、視聴者属性／嗜好情報データベースに蓄積された、番組を視聴する予め設定された視聴者毎の属性及び嗜好情報を読み込み、
番組データベースに蓄積された、予め設定されたチャンネルで放送される番組の情報が蓄積された番組表及び該番組表に設定されている番組に対して所定時刻毎に付加された番組コンテンツメタデータを読み込み、
前記視聴者属性／嗜好情報データベースと前記番組データベースから読み込んだ情報から、チャンネル毎に放送される番組の所定時刻毎の前記視聴者の嗜好度合を計算し、
前記嗜好度合の情報を予め設定された番組案内端末に送信することを特徴とする番組情報提供方法。
【請求項２】
前記嗜好度合の情報と共に、前記番組の内容を示す情報を前記番組案内端末に送信する請求項１記載の番組情報提供方法。
【請求項３】
番組情報提供装置と番組案内端末がネットワークを介して接続されているシステムにおける、放送番組を視聴者に案内する番組案内方法において、
予め設定されたチャンネルで放送される番組を視聴する視聴者の放送される番組の所定時刻毎の嗜好度合を示した情報を受信し、表示することを特徴とする番組案内方法。
【請求項４】
前記嗜好度合の情報を前記チャンネル毎に時系列に表示する請求項３記載の番組案内方法。
【請求項５】
前記番組を放送するチャンネルが複数ある場合には、前記チャンネルを識別する情報を、現在時刻での嗜好度合の高い順に表示する請求項４記載の番組案内方法。
【請求項６】
チャンネルの放送番組を受信し、受信した該放送番組を表示する請求項３乃至５のいずれか１項記載の番組案内方法。
【請求項７】
前記嗜好度合の情報と共に、番組の内容を示す情報を受信し、
表示されているチャンネルの前記嗜好度合の情報に基づいて、予め設定された時間後の該チャンネルの視聴者の嗜好度合の高い番組の内容を表示する請求項６記載の番組案内方法。
【請求項８】
前記嗜好度合の情報と共に、番組の内容を示す情報を受信し、
表示されているチャンネル以外のチャンネルの嗜好度合を示した情報に基づいて、予め設定された時間後の該表示されているチャンネル以外のチャンネルの視聴者の嗜好度合の高い番組の内容を表示する請求項６記載の番組案内方法。
【請求項９】
表示するチャンネルが変更されたとき、元表示していたチャンネルの嗜好度合を示した情報に基づいて、予め設定された時間内のチャンネルに視聴者の嗜好度合の高い時間があれば、該時間に対応するチャンネルの内容を表示する請求項６記載の番組案内方法。
【請求項１０】
表示されているチャンネルの嗜好度合を示した情報に基づいて、予め設定された時間内の該チャンネルの視聴者の嗜好度合の推移を表示する請求項６記載の番組案内方法。
【請求項１１】
番組情報提供装置と番組案内端末がネットワークを介して接続されているシステムにおける、視聴者の嗜好にあった放送番組の情報を提供する番組情報提供装置であって、
予め設定されたチャンネルで放送される番組の情報が蓄積された番組表及び該番組表に設定されている番組に対して所定時刻毎に付加された番組コンテンツメタデータを格納する番組データベースと、
番組を視聴する予め設定された視聴者毎の属性及び嗜好情報を格納する視聴者属性／嗜好情報データベースと、
視聴者毎に、前記視聴者属性／嗜好情報データベースと前記番組データベースから読み込んだ情報から、チャンネル毎に放送される番組の所定時刻毎の前記視聴者の嗜好度合を計算する番組嗜好度合計算手段と、
前記嗜好度合の情報を予め設定された番組案内端末に送信する嗜好度合情報送信手段と、を有することを特徴とする番組情報提供装置。
【請求項１２】
前記嗜好度合情報送信手段は、
前記嗜好度合の情報と共に、前記番組の内容を示す情報を前記番組案内端末に送信する手段を含む請求項１１記載の番組情報提供装置。
【請求項１３】
番組情報提供装置とネットワークを介して接続され、放送番組を視聴者に案内する番組案内端末であって、
予め設定されたチャンネルで放送される番組を視聴する視聴者の放送される番組の所定時刻毎の嗜好度合を示した情報を受信する嗜好度合情報受信手段と、
前記嗜好度合を示した情報を表示手段に表示させる表示制御手段と、を有することを特徴とする番組案内端末。
【請求項１４】
前記表示制御手段は、
前記嗜好度合の情報を前記チャンネル毎に時系列に表示させる手段を含む請求項１３記載の番組案内端末。
【請求項１５】
前記表示制御手段は、
前記番組を放送するチャンネルが複数ある場合には、前記チャンネルを識別する情報を、現在時刻での嗜好度合の高い順に表示させる手段を含む請求項１４記載の番組案内端末。
【請求項１６】
チャンネルの放送番組を受信する番組受信手段を有し、
前記表示制御手段は、
前記番組受信手段で受信した該放送番組を表示させる手段を含む請求項１３、乃至１５のいずれか１項記載の番組案内端末。
【請求項１７】
前記嗜好度合情報受信手段は、
前記嗜好度合の情報と共に、番組の内容を示す情報を受信する手段を含み、
前記表示制御手段は、
表示されているチャンネルの前記嗜好度合の情報に基づいて、予め設定された時間後の該チャンネルの視聴者の嗜好度合の高い番組の内容を表示させる手段を含む請求項１６記載の番組案内端末。
【請求項１８】
前記嗜好度合情報受信手段は、
前記嗜好度合の情報と共に、番組の内容を示す情報を受信する手段を含み、
前記表示制御手段は、
表示されているチャンネル以外のチャンネルの嗜好度合を示した情報に基づいて、予め設定された時間後の該表示されているチャンネル以外のチャンネルの視聴者の嗜好度合の高い番組の内容を表示させる手段を含む請求項１６記載の番組案内端末。
【請求項１９】
前記表示制御手段は、
表示するチャンネルが変更されたとき、元表示していたチャンネルの嗜好度合を示した情報に基づいて、予め設定された時間内のチャンネルに視聴者の嗜好度合の高い時間があれば、該時間に対応するチャンネルの内容を表示させる手段を含む請求項１６記載の番組案内端末。
【請求項２０】
前記表示制御手段は、
表示されているチャンネルの嗜好度合を示した情報に基づいて、予め設定された時間内の該チャンネルの視聴者の嗜好度合の推移を表示させる手段を含む請求項１６記載の番組案内端末。
【請求項２１】
番組情報提供装置と番組案内端末がネットワークを介して接続されているシステムにおける、視聴者の嗜好にあった放送番組の情報を提供する番組情報提供装置が実行する番組情報提供プログラムであって、
前記視聴者毎に、視聴者属性／嗜好情報データベースに蓄積された番組を視聴する予め設定された視聴者毎の属性及び嗜好情報を読み込むステップと、
番組データベースに蓄積された、予め設定されたチャンネルで放送される番組の情報が蓄積された番組表及び該番組表に設定されている番組に対して所定時刻毎に付加された番組コンテンツメタデータを読み込むステップと、
前記視聴者属性／嗜好情報データベースと前記番組データベースから読み込んだ情報から、チャンネル毎に放送される番組の所定時刻毎の前記視聴者の嗜好度合を計算するステップと、
前記嗜好度合の情報を予め設定された番組案内端末に送信する嗜好度合情報送信ステップと、をコンピュータに実行させることを特徴とする番組情報提供プログラム。
【請求項２２】
前記嗜好度合情報送信ステップは、
前記嗜好度合の情報と共に、前記番組の内容を示す情報を前記番組案内端末に送信するステップを含む請求項２１記載の番組情報提供プログラム。
【請求項２３】
番組情報提供装置とネットワークを介して接続され、放送番組を視聴者に案内する番組案内端末が実行する番組案内プログラムであって、予め設定されたチャンネルで放送される番組を視聴する視聴者の放送される番組の所定時刻毎の嗜好度合を示した情報を受信する嗜好度合情報受信ステップと、
前記嗜好度合を示した情報を表示させる表示制御ステップと、をコンピュータに実行させることを特徴とする番組案内プログラム。
【請求項２４】
前記表示制御ステップは、
前記嗜好度合の情報を前記チャンネル毎に時系列に表示させるステップを含む請求項２３記載の番組案内プログラム。
【請求項２５】
前記表示制御ステップは、
前記番組を放送するチャンネルが複数ある場合には、前記チャンネルを識別する情報を、現在時刻での嗜好度合の高い順に表示させるステップを含む請求項２４記載の番組案内プログラム。
【請求項２６】
チャンネルの放送番組を受信する番組受信ステップを有し、
前記表示制御ステップは、
前記番組受信ステップで受信した該放送番組を表示させるステップを含む請求項２３、２４または、２５記載の番組案内プログラム。
【請求項２７】
前記嗜好度合情報受信ステップは、
前記嗜好度合の情報と共に、番組の内容を示す情報を受信するステップを含み、
前記表示制御ステップは、
表示されているチャンネルの前記嗜好度合の情報に基づいて、予め設定された時間後の該チャンネルの視聴者の嗜好度合の高い番組の内容を表示させるステップを含む請求項２６記載の番組案内プログラム。
【請求項２８】
前記嗜好度合情報受信ステップは、
前記嗜好度合の情報と共に、番組の内容を示す情報を受信するステップを含み、
前記表示制御ステップは、
表示されているチャンネル以外のチャンネルの嗜好度合を示した情報に基づいて、予め設定された時間後の該表示されているチャンネル以外のチャンネルの視聴者の嗜好度合の高い番組の内容を表示させるステップを含む請求項２６記載の番組案内プログラム。
【請求項２９】
前記表示制御ステップは、
表示するチャンネルが変更されたとき、元表示していたチャンネルの嗜好度合を示した情報に基づいて、予め設定された時間内のチャンネルに視聴者の嗜好度合の高い時間があれば、該時間に対応するチャンネルの内容を表示させるステップを含む請求項２６記載の番組案内プログラム。
【請求項３０】
前記表示制御ステップは、
表示されているチャンネルの嗜好度合を示した情報に基づいて、予め設定された時間内の該チャンネルの視聴者の嗜好度合の推移を表示させるステップを含む請求項２６記載の番組案内プログラム。
【請求項３１】
番組情報提供装置が実行する番組提供プログラムを格納した記憶媒体であって、
前記請求項２１乃至前記請求項２２記載のプログラムを格納したことを特徴とする番組提供プログラムを格納した記憶媒体。
【請求項３２】
番組情報提供装置とネットワークを介して接続され、放送番組を視聴者に案内する番組案内端末が実行する番組案内プログラムを格納した記憶媒体であって、
前記請求項２３から請求項３０記載のプログラムを格納したことを特徴とする番組案内プログラムを格納した記憶媒体。
【発明の詳細な説明】
【０００１】
【発明の属する技術分野】
本発明は、番組情報提供方法及び番組案内方法及び番組情報提供装置及び番組案内端末及び番組情報提供プログラム及び番組案内プログラム及び番組情報提供プログラムを格納した記憶媒体及び番組案内プログラムを格納した記憶媒体に係り、特に、視聴者の嗜好に合った番組の情報を提供する番組情報提供方法及び番組情報提供装置及び番組情報提供プログラム及び番組情報提供プログラムを格納した記憶媒体と、視聴者に番組情報の案内表示を行う番組案内方法及び番組案内装置及び番組案内プログラム及び番組案内プログラムを格納した記憶媒体に関する。
【０００２】
【従来の技術】
従来、インターネットのホームページ上などで、自分の好みに合ったテレビ放送番組やインターネット放送番組を検索するものが知られており、この種の検索においては、番組単位に付加されたジャンルや出演者などの情報から、視聴者の指定したジャンルや出演者が含まれる番組を抽出して表示している。
【０００３】
【発明が解決しようとする課題】
しかしながら、上記従来のような番組検索にシステムあっては、番組単位にしか情報を付加していないので、番組内のどの部分が視聴者の嗜好に合っているかが分からず、見たいシーンやコーナーを見逃すことがある。
【０００４】
また、番組単位の情報では嗜好性が高くても、ある時間帯では他のチャンネルの番組の嗜好性が高い場合があり、そのことを知らずに他のチャンネルの番組を見過ごすこともある。
【０００５】
本発明は、上記の点に鑑みなされたもので、リアルタイムに視聴者の嗜好に合った番組の情報を提供できる番組情報提供方法及び番組案内方法及び番組情報提供装置及び番組案内端末及び番組情報提供プログラム及び番組案内プログラム及び番組情報提供プログラムを格納した記憶媒体及び番組案内プログラムを格納した記憶媒体を目的とする。
【０００６】
【課題を解決するための手段】
図１は、本発明の原理を説明するための図である。
【０００７】
本発明は、番組情報提供装置と番組案内端末がネットワークを介して接続されているシステムにおける、視聴者の嗜好にあった放送番組の情報を提供する番組情報提供方法において、
視聴者毎に、視聴者属性／嗜好情報データベースに蓄積された、番組を視聴する予め設定された視聴者毎の属性及び嗜好情報を読み込み（ステップ１）、
番組データベースに蓄積された、予め設定されたチャンネルで放送される番組の情報が蓄積された番組表及び該番組表に設定されている番組に対して所定時刻毎に付加された番組コンテンツメタデータを読み込み（ステップ２）、
視聴者属性／嗜好情報データベースと番組データベースから読み込んだ情報から、チャンネル毎に放送される番組の所定時刻毎の視聴者の嗜好度合を計算し（ステップ３）、
嗜好度合の情報を予め設定された番組案内端末に送信する（ステップ４）。
【０００８】
また、本発明の番組情報提供方法は、嗜好度合の情報と共に、番組の内容を示す情報を番組案内端末に送信する。
【０００９】
本発明は、番組情報提供装置と番組案内端末がネットワークを介して接続されているシステムにおける、番組を視聴者に案内する番組案内方法において、
予め設定されたチャンネルで放送される番組を視聴する視聴者の放送される番組の所定時刻毎の嗜好度合を示した情報を受信し（ステップ５）、表示する（ステップ６）。
【００１０】
本発明の番組案内方法は、嗜好度合の情報をチャンネル毎に時系列に表示する。
【００１１】
本発明の番組案内方法は、番組を放送するチャンネルが複数ある場合には、チャンネルを識別する情報を、現在時刻での嗜好度合の高い順に表示する。
【００１２】
本発明の番組案内方法は、チャンネルの放送番組を受信し、受信した該放送番組を表示する。
【００１３】
本発明の番組案内方法は、嗜好度合の情報と共に、番組の内容を示す情報を受信し、
表示されているチャンネルの嗜好度合の情報に基づいて、予め設定された時間後の該チャンネルの視聴者の嗜好度合の高い番組の内容を表示する。
【００１４】
本発明の番組案内方法は、嗜好度合の情報と共に、番組の内容を示す情報を受信し、
表示されているチャンネル以外のチャンネルの嗜好度合を示した情報に基づいて、予め設定された時間後の該表示されているチャンネル以外のチャンネルの視聴者の嗜好度合の高い番組の内容を表示する。
【００１５】
本発明の番組案内方法は、表示するチャンネルが変更されたとき、元表示していたチャンネルの嗜好度合を示した情報に基づいて、予め設定された時間内のチャンネルに視聴者の嗜好度合の高い時間があれば、該時間に対応するチャンネルの内容を表示する。
【００１６】
本発明の番組案内方法は、表示されているチャンネルの嗜好度合を示した情報に基づいて、予め設定された時間内の該チャンネルの視聴者の嗜好度合の推移を表示する。
【００１７】
図２は、本発明の原理構成図である。
【００１８】
本発明は、番組情報提供装置と番組案内端末がネットワークを介して接続されているシステムにおける、視聴者の嗜好にあった放送番組の情報を提供する番組情報提供装置１０であって、
予め設定されたチャンネルで放送される番組の情報が蓄積された番組表及び該番組表に設定されている番組に対して所定時刻毎に付加された番組コンテンツメタデータを格納する番組データベース１２と、
番組を視聴する予め設定された視聴者毎の属性及び嗜好情報を格納する視聴者属性／嗜好情報データベース１１と、
視聴者毎に、視聴者属性／嗜好情報データベース１１と番組データベース１２から読み込んだ情報から、チャンネル毎に放送される番組の所定時刻毎の視聴者の嗜好度合を計算する番組嗜好度合計算手段１３と、
嗜好度合の情報を予め設定された番組案内端末に送信する嗜好度合情報送信手段１４と、を有する。
【００１９】
本発明の番組情報提供装置の嗜好度合情報送信手段１４は、嗜好度合の情報と共に、番組の内容を示す情報を番組案内端末に送信する手段を含む。
【００２０】
本発明は、番組情報提供装置とネットワークを介して接続され、放送番組を視聴者に案内する番組案内端末２０であって、
予め設定されたチャンネルで放送される番組を視聴する視聴者の放送される番組の所定時刻毎の嗜好度合を示した情報を受信する嗜好度合情報受信手段２４と、
嗜好度合を示した情報を表示手段４０に表示させる表示制御手段２５と、を有する。
【００２１】
本発明の番組案内端末の表示制御手段２５は、嗜好度合の情報をチャンネル毎に時系列に表示手段４０に表示させる手段を含む。
【００２２】
本発明の番組案内端末の表示制御手段２５は、番組を放送するチャンネルが複数ある場合には、チャンネルを識別する情報を、現在時刻での嗜好度合の高い順に表示手段４０に表示させる手段を含む。
【００２３】
本発明の番組案内端末は、チャンネルの放送番組を受信する番組受信手段を有し、表示制御手段２５において、番組受信手段で受信した該放送番組を表示手段４０に表示させる手段を含む。
【００２４】
本発明の番組案内端末の嗜好度合情報受信手段は、嗜好度合の情報と共に、番組の内容を示す情報を受信する手段を含み、
表示制御手段２５において、表示されているチャンネルの嗜好度合の情報に基づいて、予め設定された時間後の該チャンネルの視聴者の嗜好度合の高い番組の内容を表示手段４０に表示させる手段を含む。
【００２５】
本発明の番組案内端末の嗜好度合情報受信手段２４は、
嗜好度合の情報と共に、番組の内容を示す情報を受信する手段を含み、
表示制御手段２５において、
表示されているチャンネル以外のチャンネルの嗜好度合を示した情報に基づいて、予め設定された時間後の該表示されているチャンネル以外のチャンネルの視聴者の嗜好度合の高い番組の内容を表示手段４０に表示させる手段を含む。
【００２６】
本発明の番組案内端末の表示制御手段２５は、表示するチャンネルが変更されたとき、元表示していたチャンネルの嗜好度合を示した情報に基づいて、予め設定された時間内のチャンネルに視聴者の嗜好度合の高い時間があれば、該時間に対応するチャンネルの内容を表示手段４０に表示させる手段を含む。
【００２７】
本発明の番組案内端末の表示制御手段２５は、表示されているチャンネルの嗜好度合を示した情報に基づいて、予め設定された時間内の該チャンネルの視聴者の嗜好度合の推移を表示手段４０に表示させる手段を含む。
【００２８】
本発明は、番組情報提供装置と番組案内端末がネットワークを介して接続されているシステムにおける、視聴者の嗜好にあった放送番組の情報を提供する番組情報提供装置が実行する番組情報提供プログラムであって、
視聴者毎に、視聴者属性／嗜好情報データベースに蓄積された番組を視聴する予め設定された視聴者毎の属性及び嗜好情報を読み込むステップと、
番組データベースに蓄積された、予め設定されたチャンネルで放送される番組の情報が蓄積された番組表及び該番組表に設定されている番組に対して所定時刻毎に付加された番組コンテンツメタデータを読み込むステップと、
視聴者属性／嗜好情報データベースと番組データベースから読み込んだ情報から、チャンネル毎に放送される番組の所定時刻毎の視聴者の嗜好度合を計算するステップと、
嗜好度合の情報を予め設定された番組案内端末に送信する嗜好度合情報送信ステップと、をコンピュータに実行させる。
【００２９】
本発明の番組情報提供プログラムの嗜好度合情報送信ステップは、嗜好度合の情報と共に、番組の内容を示す情報を番組案内端末に送信するステップを含む。本発明は、番組情報提供装置とネットワークを介して接続され、放送番組を視聴者に案内する番組案内端末が実行する番組案内プログラムであって、
予め設定されたチャンネルで放送される番組を視聴する視聴者の放送される番組の所定時刻毎の嗜好度合を示した情報を受信する嗜好度合情報受信ステップと、
嗜好度合を示した情報を表示させる表示制御ステップと、をコンピュータに実行させる。
【００３０】
本発明の番組案内プログラムの表示制御ステップは、嗜好度合の情報をチャンネル毎に時系列に表示させるステップを含む。
【００３１】
本発明の番組案内プログラムの表示制御ステップは、番組を放送するチャンネルが複数ある場合には、チャンネルを識別する情報を、現在時刻での嗜好度合の高い順に表示させるステップを含む。
【００３２】
本発明の番組案内プログラムは、チャンネルの放送番組を受信する番組受信ステップを有し、
表示制御ステップにおいて、番組受信ステップで受信した該放送番組を表示させるステップを含む。
【００３３】
本発明の番組案内プログラムの嗜好度合情報受信ステップは、嗜好度合の情報と共に、番組の内容を示す情報を受信するステップを含み、
表示制御ステップにおいて、表示されているチャンネルの嗜好度合の情報に基づいて、予め設定された時間後の該チャンネルの視聴者の嗜好度合の高い番組の内容を表示させるステップを含む。
【００３４】
本発明の番組案内プログラムの嗜好度合情報受信ステップは、嗜好度合の情報と共に、番組の内容を示す情報を受信するステップを含み、
表示制御ステップにおいて、表示されているチャンネル以外のチャンネルの嗜好度合を示した情報に基づいて、予め設定された時間後の該表示されているチャンネル以外のチャンネルの視聴者の嗜好度合の高い番組の内容を表示させるステップを含む。
【００３５】
本発明の番組案内プログラムの表示制御ステップは、表示するチャンネルが変更されたとき、元表示していたチャンネルの嗜好度合を示した情報に基づいて、予め設定された時間内のチャンネルに視聴者の嗜好度合の高い時間があれば、該時間に対応するチャンネルの内容を表示させるステップを含む。
【００３６】
本発明の番組案内プログラムの表示制御ステップは、表示されているチャンネルの嗜好度合を示した情報に基づいて、予め設定された時間内の該チャンネルの視聴者の嗜好度合の推移を表示させるステップを含む。
【００３７】
本発明は、番組情報提供装置が実行する番組提供プログラムを格納した記憶媒体であって、上記の番組提供プログラムを格納する。
【００３８】
本発明は、番組情報提供装置とネットワークを介して接続され、放送番組を視聴者に案内する番組案内端末が実行する番組案内プログラムを格納した記憶媒体であって、上記の番組案内プログラムを格納する。
【００３９】
上記のように、本発明では、視聴者毎に視聴者の属性・嗜好情報と所定時刻毎の番組の情報から番組の所定時刻毎の嗜好度合いを算出し、番組案内端末に送信することが可能となる。
【００４０】
また、本発明は、嗜好度合の情報と共に番組の内容を示す情報が送信される。また、本発明では、番組案内端末において視聴者の番組に対する嗜好度合が所定時刻毎に表示することが可能となる。
【００４１】
また、本発明では、番組案内端末において、視聴者の番組に対する嗜好度合がチャンネル毎に時系列に表示することが可能となる。
【００４２】
また、本発明では、番組案内端末において、チャンネルを識別する情報が嗜好度合の高い順に表示することが可能となる。
【００４３】
また、本発明では、番組案内端末において、受信した放送番組と共に視聴者の番組に対する嗜好度合の情報が表示することが可能となる。
【００４４】
また、本発明では、番組案内端末において、予め設定された時間後の嗜好度合の高い番組内容が表示することが可能となる。
【００４５】
また、本発明では、番組案内端末に表示しているチャンネル以外のチャンネルの嗜好度合の高い番組の内容を表示することが可能となる。
【００４６】
また、本発明では、チャンネルが変更されたとき、変更前のチャンネルで予め設定された時間内に嗜好度合の高い時間があれば、その内容を表示することが可能となる。
【００４７】
また、本発明では、番組案内端末において、表示しているチャンネルの予め設定された時間内の嗜好度合の推移を表示することが可能となる。
【００４８】
【発明の実施の形態】
以下、図面と共に本発明の実施の形態を説明する。
【００４９】
本発明において、放送とは、電波放送・インターネット放送・ＣＡＴＶ放送等を含むものとし、以下の実施の形態では、インターネット放送を例として説明するが、本発明は、当該インターネット放送に限定されるものではない。
【００５０】
図３は、本発明の一実施の形態におけるシステム構成を示す。
【００５１】
同図に示すシステムは、番組情報提供装置１０、番組案内端末２０、これらを接続するネットワーク３０から構成される。
【００５２】
番組情報提供装置１０は、予め設定された視聴者の属性及び嗜好情報を蓄積している視聴者属性／嗜好情報データベース（ＤＢ）１１と、インターネット放送の各チャンネルで放送される番組の情報が格納された番組表及び、その番組表に設定されている番組で、その番組の出演者やジャンル等の情報が所定時刻毎に付加された番組コンテンツメタデータを蓄積している番組データベース（ＤＢ）１２と、視聴者属性／嗜好情報ＤＢ１１と番組ＤＢ１２の情報に基づいて視聴者毎の各番組の嗜好度合を算出し、該当する視聴者に送信する番組嗜好度合計算部１３と、ネットワーク３０と接続され、ネットワーク３０を介して通信を行うネットワークインタフェース（Ｉ／Ｆ）１４とを備えている。
【００５３】
番組案内端末２０は、放送番組を受信し、外付けの表示部４０に受信した放送番組を表示する番組受信部２１と、番組受信部２１を制御する番組制御部２２と、番組情報提供装置１０から送信されてくる番組の嗜好度合の情報を受信して蓄積する嗜好度合データベース（ＤＢ）２３と、嗜好度合ＤＢ２３の情報を参照して、表示部４０に嗜好度合情報を表示したり、嗜好度合に応じた番組のチャンネル変更を番組制御部２２に指示したり、番組制御部２２から現在受信している放送番組のチャンネルを取得する嗜好度合制御部２５と、ネットワーク３０と接続されネットワーク３０を介して通信を行うネットワークインタフェース（Ｉ／Ｆ）２４とを備えている。
【００５４】
なお、表示部４０を外付けとしているが、内蔵していても構わない。
【００５５】
番組情報提供装置１０は、視聴者属性／嗜好情報ＤＢ１１内に、視聴者毎の視聴者属性情報（例えば、年代、性別）と視聴者嗜好情報（例えば、好きな出演者名や好きなジャンル）を蓄積している。ここで、視聴者属性情報や視聴者嗜好情報は、予め設定していてもよいし、視聴者が実際に視聴した番組のデータに基づいて書き換えるようにしてもよい。
【００５６】
また、番組ＤＢ１２には、放送される番組の情報を設定した番組表と、この番組表内の各番組について、予め設定された時間間隔毎の番組の情報（例えば、出演者、番組ジャンル、ターゲットとする年齢層）が番組コンテンツメタデータとして蓄積されている。
【００５７】
そして、番組嗜好度合計算部１３は、視聴者の番組案内端末２０からの要求（例えば、視聴者のチャンネル切替をトリガとした要求や予め設定された時間間隔毎の要求）により、その視聴者の要求された時間帯に放送される番組を番組ＤＢ１２の番組表から検索し、その番組の番組コンテンツメタデータを番組ＤＢ１２から読み出し、要求してきた視聴者の視聴者属性情報及び嗜好情報を視聴者属性／嗜好情報ＤＢ１１から読み出し、これらの情報から、予め設定された時間間隔毎の各番組に対する視聴者の嗜好度合を算出する。
【００５８】
ここで、視聴者属性情報として年代、視聴者嗜好情報として好きな出演者と好きなジャンル、番組コンテンツメタデータとして出演者、ジャンル、ターゲット年齢層を蓄積している場合の例を図４を参照して説明する。
【００５９】
図４は、本発明の一実施の形態における嗜好度合の算出方法を説明するための図である。
【００６０】
同図に示すように、番組コンテンツメタデータとして、時刻Ｔ０〜Ｔ１では、出演者がＰ１，Ｐ２，Ｐ３、ジャンルがＡ，ターゲット年齢層がＸ年代、時刻Ｔ１〜Ｔ２では、出演者がＰ１，Ｐ４，Ｐ５，ジャンルがＢ，ターゲット年齢層がＸ年代、時刻Ｔ２〜Ｔ３では、出演者がＰ１，Ｐ４，Ｐ６、ジャンルがＣ、ターゲット年齢層がＹ年代、という番組がある。
【００６１】
この番組に対し、視聴者属性情報として年代がＸ、視聴者嗜好情報として好きな出演者がＰ１，好きなジャンルがＡという情報を持つ視聴者の各時刻での嗜好度合は、番組コンテンツメタデータと視聴者属性情報／嗜好情報の項目毎に一致するものがあれば、ポイント１とし、各項目のポイントを加算して、その時刻での嗜好度合とする。
【００６２】
このように計算すると、上述の番組の視聴者の嗜好度合は図４の下のグラフのように、時刻Ｔ０〜Ｔ１間では３ポイント、Ｔ１〜Ｔ２間では２ポイント、Ｔ２〜Ｔ３間では１ポイントとなる。なお、ここでは、１項目１ポイントとしたが、各項目に重み付けをして、その重みを各項目のポイントに掛けるようにしてもよい。
【００６３】
このような嗜好度合の計算を、要求された時間帯の各チャンネルの各番組に対して行い、図５に示すような視聴者の嗜好度合情報を作成し、要求元の視聴者の番組案内端末２０に送信する。
【００６４】
番組案内端末２０では、ネットワークＩ／Ｆ２４を介して、受信した嗜好度合情報を嗜好度合情報ＤＢ２３に蓄積し、嗜好度合制御部２５が表示部４０に図５のグラフに示す通りの嗜好度合情報を表示する。
【００６５】
また、図６に示すように、嗜好度合情報ＤＢ２３に蓄積した嗜好度合情報に基づき、嗜好度合制御部２５が、現在の時刻ｔにおける各チャンネルの中で一番嗜好度合が高いチャンネルを求め、マイチャンネルとして表示部４０に表示してもよい。
【００６６】
図６の視聴者嗜好度合において、４チャンネルの嗜好度合α４＿ｔと６チャンネルの嗜好度合α６＿ｔと８チャンネルの嗜好度合α８＿ｔの最大値を求める。時刻ｔ０〜ｔ１間は、最大値はα６＿ｔであるので、マイチャンネルとして６チャンネルを表示し、時刻ｔ１〜ｔ２の間は、α８＿ｔが最大値であるので、マイチャンネルとして８チャンネルを表示する。
【００６７】
また、図７に示すように、嗜好度合ＤＢ２３に蓄積した嗜好度合情報に基づき、嗜好度合制御部２５が、現在の時刻における各チャンネルの嗜好度合の順位を求め、表示部４０に表示してもよい。
【００６８】
図７（ａ）の視聴者嗜好度合においては、時刻ｔｘでは４チャンネルの嗜好度合α４＿ｔｘと６チャンネルの嗜好度合α６＿ｔｘと８チャンネルの嗜好度合α８＿ｔｘは、値の大きい順にα６＿ｔｘ，α８＿ｔｘ，α４＿ｔｘの順であるので、表示部４０には、図７（ｂ）のように表示し、時刻ｔｙではα８＿ｔｙ，α４＿ｔｙ，α６＿ｔｙの順であるので、表示部４０には図７（ｃ）のように表示する。
【００６９】
また、図８に示すように、番組受信部２１により表示部４０に現在表示しているチャンネルの、現在時刻から予め設定された時間後までの間の嗜好情報の遷移を嗜好度合制御部２５が嗜好度合ＤＢ２３を参照して算出し、表示してもよい。また、嗜好度合制御部２５が、時間間隔毎に次の時間間隔の各チャンネルの嗜好度合を参照し、嗜好度合が一番高い番組のチャンネルを求め、番組制御部２２が番組受信部２１を制御して、そのチャンネルを表示部４０に表示させるようにしてもよい。
【００７０】
このような本実施の形態においては、各番組の予め設定された時間間隔毎の出演者やジャンルなどの番組コンテンツメタデータと視聴者の属性や好きな出演者・ジャンルなどの嗜好情報に基づいて、予め設定された時間間隔毎の視聴者の嗜好度合を算出し、その情報をもとに、視聴者に対して番組案内を行うものである。
【００７１】
また、本発明の他の実施の形態としては、番組情報提供装置１０が送信する嗜好度合情報に、各時刻の番組コンテンツメタデータと視聴者属性情報及び嗜好情報との間で一致した項目内容（例えば、図４のＴ１では、出演者Ｐ１やジャンルＡなど）を番組内容情報として追加して送信するようにする。
【００７２】
番組案内端末２０は、このような情報を嗜好度合ＤＢ２３に蓄積しておき、嗜好度合制御部２５が、現在時刻から予め設定された時間後の各チャンネルの嗜好度合を参照し、嗜好度合が一番高いチャンネルの項目内容情報を、例えば、図６の時刻ｔ１のときであれば、８ｃｈの嗜好度合が高くなるので、８ｃｈの項目内容情報を参照し、その情報が出演者であれば、図９に示すように、「８ｃｈ○○さんが登場」というように表示する。
【００７３】
また、番組制御部２２において、チャンネルが変更されたとき、嗜好度合制御部２５が、変更前のチャンネルの嗜好度合の情報を参照し、図１０（ａ）に示すように、嗜好度合が上昇し、予め設定された時間内で予め設定された値より大きい嗜好度合がある場合、その時間の項目内容情報を、例えば、ジャンルであれば、図１０（ｂ）に示すように「もうすぐ△△が始まるよ」というように表示する。
【００７４】
また、上記の実施の形態における図３に示す番組情報提供装置１０と番組案内端末２０の構成要素をプログラムとして構築し、番組情報提供装置及び番組案内端末として利用されるコンピュータにインストールする、または、ネットワークを介して流通させることが可能である。
【００７５】
また、構築されたプログラムを番組情報提供装置及び番組案内端末として利用されるコンピュータに接続されるハードディスク装置や、フレキシブルディスク、ＣＤ−ＲＯＭ等の可搬記憶媒体に格納しておき、本発明を実施する際に、コンピュータにインストールすることにより本発明を実現できる。
【００７６】
なお、本発明は、上記の実施の形態に限定されることなく、特許請求の範囲内において、種々変更・応用が可能である。
【００７７】
【発明の効果】
上述のように、本発明によれば、視聴者の属性や嗜好情報と所定時刻毎の番組情報から、番組の所定時刻毎の嗜好度合を算出しているので、リアルタイムに番組の嗜好度合を視聴者に提供することができる。
【００７８】
また、嗜好度合を、チャンネル毎に時系列表示したり、チャンネルを識別する情報を現在時刻での嗜好度合の高い順に表示したりすれば、視聴者の嗜好に合ったチャンネルの情報を提供することができる。
【００７９】
また、番組案内端末にチャンネルの放送番組を受信する番組受信部を備え、番組受信部で放送番組を同時に表示するようにすれば、番組と同時にリアルタイムに番組の嗜好度合の情報を提供することができる。
【００８０】
また、表示しているチャンネルの予め設定された時間後の嗜好度合の高い番組の内容を表示したり、表示しているチャンネル以外のチャンネルの予め設定された時間後の嗜好度合の高い番組の内容を表示したり、表示するチャンネルが変更されたとき、元表示していたチャンネルの予め設定された時間内に嗜好度合の高い時間の内容を表示したり、表示しているチャンネルの嗜好度合の推移を表示したりすれば、リアルタイムに視聴者の嗜好にあった番組の情報を提供することができる。
【図面の簡単な説明】
【図１】本発明の原理を説明するための図である。
【図２】本発明の原理構成図である。
【図３】本発明の一実施の形態におけるシステム構成図である。
【図４】本発明の一実施の形態における嗜好度合の算出方法を説明するための図である。
【図５】本発明の一実施の形態におけるチャンネル毎の嗜好度合の例を示す図である。
【図６】本発明の一実施の形態におけるマイチャンネルの抽出方法を説明するための図である。
【図７】本発明の一実施の形態における嗜好度合の順位の表示方法を説明するための図である。
【図８】本発明の一実施の形態における現在視聴しているチャンネルの嗜好度合の遷移例を示す図である。
【図９】本発明の一実施の形態における嗜好度合の高い順位の内容を表示する例である。
【図１０】本発明の一実施の形態におけるチャンネル変更時に変更前のチャンネルの嗜好度合の高い番組の内容を表示する例を示す図である。
【符号の説明】
１０　番組情報提供装置
１１　視聴者属性／嗜好情報データベース（ＤＢ）
１２　番組データベース（ＤＢ）
１３　番組嗜好度合計算手段、番組嗜好度合計算部
１４　嗜好度合情報送信手段、ネットワークＩ／Ｆ（インタフェース）
２０　番組案内端末
２１　番組受信部
２２　番組制御部
２３　嗜好度合データベース（ＤＢ）
２４　嗜好度合情報受信手段、ネットワークＩ／Ｆ（インタフェース）
２５　表示制御部、嗜好度合制御部
３０　ネットワーク
４０　表示手段
【図１】
2004015529.tif 000003
【図２】
2004015529.tif 000004
【図３】
2004015529.tif 000005
【図４】
2004015529.tif 000006
【図５】
2004015529.tif 000007
【図６】
2004015529.tif 000008
【図７】
2004015529.tif 000009
【図８】
2004015529.tif 000010
【図９】
2004015529.tif 000011
【図１０】
2004015529.tif 000012